(57)【特許請求の範囲】
【請求項１】
ハリスと、ハリス挿通孔を頭部に有する1本乃至複数本の釣り針と、第一ストッパーと、リング状部材と、を備え、前記1本乃至複数本の釣り針は、前記ハリス挿通孔に前記ハリスが挿通された状態で前記ハリスを軸に回動自在に取り付けられ、前記第一ストッパーは、前記ハリスの一端に取り付けられ、前記リング状部材は、前記第一ストッパーと前記1本乃至複数本の釣り針のうち前記第一ストッパーに最も近い釣り針との間に前記ハリスが挿通された状態で取り付けられていることを特徴とする釣り仕掛け構造。
【請求項２】
前記リング状部材の内径は前記第一ストッパーの直径より小さく、外径が5ｍｍ以下であり、且つ金属製である請求項１の釣り仕掛け構造。
【請求項３】
前記ハリス上に前記第一ストッパーから前記1本乃至複数本の釣り針が離れるのを規制する第二ストッパーを更に備え、前記第一ストッパーと前記第二ストッパーの間に前記1本乃至複数本の釣り針が位置することを特徴とする請求項1乃至２のいずれかの釣り仕掛け構造。

【発明の詳細な説明】
【技術分野】
【０００１】  本発明は、ハリス挿通孔を頭部に有する釣り針を使用した釣り仕掛け構造に関するものである。
【背景技術】
【０００２】  従来の釣り仕掛け構造は、１本のハリスに１本の釣り針が固定されたものが一般的である。また、餌に対して魚が興味を持つように回動自在な釣り針を有するもの（特許文献１及び特許文献２）が知られている。
【先行技術文献】
【特許文献】
【０００３】
【特許文献１】特開昭６３−２０９５３４
【特許文献２】特開平１０−２９５２１９
【発明の概要】
【発明が解決しようとする課題】
【０００４】  従来の釣り仕掛け構造のハリスは長さ数ｍから１０ｍ程度である。そのハリスの影響で釣り針が魚に針掛かりしづらい体勢になる問題がある。
図５にて針掛かりしづらい体勢について説明するが、図５では釣り針の位置・向きを分かりやすくするため、釣り針に付ける餌は省略している。
魚は流れ１４のある水中で餌のにおいを嗅ぎつけ下流から釣り針に近寄る。釣り針がその魚に針掛かりしづらい体勢は、針先が魚の口先から遠い釣り針の体勢２６であり、その逆の、針先が魚の口先から近い釣り針の体勢２７は針掛かりしやすい体勢であることは当然である。一般的に釣り針はハリスに固定されるため、その固定された向き次第で体勢２７にならない。また、ハリスには湾曲や捻じれがあるため、ハリスに固定された釣り針が水中でどの様な体勢になるのか分からない状態であり、更に、釣り針が水中で常に体勢２７になるように、水中の流れ１４を予測しながら投入すること自体が至難である。このように、従来の釣り仕掛け構造は、ハリスに固定された釣り針を常に体勢２７となるようにすることは困難であるため、釣り針が針掛かりしづらい体勢となる問題を発生し、釣果が上がらない。【０００５】  特許文献１及び特許文献２は、共に小針は回動自在に取り付けられているが、親針はハリスに固定されているため、親針が上述した図５に示す体勢２７にならないことがあり魚に針掛かりしづらい体勢になる問題がある。【０００６】  本発明は、上述した掛かる問題を解決し、魚に対して常に釣り針が針掛かりしやすい体勢とすることができる釣り仕掛け構造を提供するものである。
【課題を解決するための手段】
【０００７】  請求項１の発明は、ハリスと、ハリス挿通孔を頭部に有する１本乃至複数本の釣り針と、第一ストッパーと、を備え、前記１本乃至複数本の釣り針は、前記ハリス挿通孔に前記ハリスが挿通された状態で、前記ハリスを軸に回動自在に取り付けられ、前記第一ストッパーは、前記１本乃至複数本の釣り針が前記ハリスの一端から脱落することを防止するために、前記ハリスの前記一端に取り付けられた釣り仕掛け構造である。【０００８】  請求項２の発明は、前記第一ストッパーと、前記１本乃至複数本の釣り針のうち前記第一ストッパーに最も近い釣り針との間に、前記ハリスが挿通されたリング状部材を備える請求項１の釣り仕掛け構造である。【０００９】  請求項３の発明は、前記リング状部材の内径は前記第一ストッパーの直径より小さく、外径が５ｍｍ以下であり、且つ金属製である請求項２の釣り仕掛け構造である。【００１０】  請求項４の発明は、前記ハリス上に前記第一ストッパーから前記１本乃至複数本の釣り針が離れるのを規制する第二ストッパーを更に備え、前記第一ストッパーと前記第二ストッパーの間に前記１本乃至複数本の釣り針が位置することを特徴とする請求項１乃至３のいずれかの釣り仕掛け構造である。【００１１】  請求項５の発明は、前記ハリスの他端と、前記ハリスを係止するための係止部材との接続部が前記第二ストッパーである請求項４の釣り仕掛け構造である。【００１２】  請求項６の発明は、前記第一ストッパーと前記第二ストッパーの間隔は５０ｃｍ以下である請求項４乃至請求項５のいずれかの釣り仕掛け構造である。
【発明の効果】
【００１３】  請求項１の発明は、ハリスと、ハリス挿通孔を頭部に有する１本乃至複数本の釣り針と、第一ストッパーと、を備え、前記１本乃至複数本の釣り針は、前記ハリス挿通孔に前記ハリスが挿通された状態で、前記ハリスを軸に回動自在に取り付けられ、前記第一ストッパーは、前記１本乃至複数本の釣り針が前記ハリスの一端から脱落することを防止するために、前記ハリスの前記一端に取り付けられた釣り仕掛け構造であるので、例えば図４に示すように、釣り針６及び９は、水中に投入されたのち水の流れ１４に押され、下流から近寄る魚の口先１６に近い側に回動し、釣り針６及び９は共に魚に針掛かりしやすい体勢になる。また、流れがない場合、魚がいろんな方向から近づいても、餌を付けた釣り針を捕食しようと口を開ければ、水も魚の口に吸い込まれるため、その小さな水流によって釣り針６及び９が回動し、魚の口先１６に近づき吸い込まれ易くなり、釣り針６及び９が魚に針掛かりしやすい。更に、本発明は釣り針の本数を増やすことで、魚の大きさ・魚の口の特徴・魚の活性度に容易に対処できる。
具体的に説明すると、大きな魚を釣る場合は釣り針を複数本にし、複数本を魚に針掛かりさせ、釣り針に掛かる魚の引きを分散することで、釣り針の軸が伸びにくくなるので、魚が吸い込み易い小さい釣り針を使用出来る。よって、軸は伸びないが魚が吸い込みづらい大きな釣り針を使用する必要が無い。また、アジなどの、釣り針で口が切れやすい特徴の魚にも、釣り針を複数本にし、アジの口に掛かる力を複数個所に分散させることで、アジの口が切れなくなり釣り針が外れない。魚の活性が高い場合は、複数本の釣り針の一部に擬餌針を使用し、餌を付けないこともできる。
上記に示したように、本発明は、釣り針を魚に針掛かりしやすい体勢にすることができ、更には魚の大きさ・魚の口の特徴・魚の活性度に対処できる釣り仕掛け構造である。これらの効果により、発明者の実際の釣果は２〜３倍に上がっている。【００１４】  請求項２の発明は、前記第一ストッパーと、前記１本乃至複数本の釣り針のうち前記第一ストッパーに最も近い釣り針との間に、前記ハリスが挿通されたリング状部材を備えるので、第一ストッパーと釣り針との摩擦や引っ掛かりを軽減でき、釣り針がさらに回動しやすくなる。【００１５】  請求項３の発明は、前記リング状部材の内径は前記第一ストッパーの直径より小さく、外径が５ｍｍ以下であり、且つ金属製であるので、第一ストッパーから脱落せず、金属製であるため魚にかじられても欠損しない。また、釣り針のハリス挿通孔の径が大きい釣り針でも、その径がリング状部材の外径未満であれば釣り針が脱落しない。【００１６】  請求項４の発明は、前記ハリス上に前記第一ストッパーから前記１本乃至複数本の釣り針が離れるのを規制する第二ストッパーを更に備え、前記第一ストッパーと前記第二ストッパーの間に前記１本乃至複数本の釣り針が位置するので、釣り針が第一ストッパー近くに留まりやすく、下流から近寄る魚に近い位置となり、釣り針が針掛かりしやすい。さらに、複数本の釣り針の場合に釣り針の近接が保たれる。【００１７】  請求項５の発明は、前記ハリスの他端と、前記ハリスを係止するための係止部材との接続部を第二ストッパーに出来る。【００１８】  請求項６の発明は、前記第一ストッパーと前記第二ストッパーの間隔は５０ｃｍ以下であるので、複数本の釣り針の近接がより近接に保たれる。
【図面の簡単な説明】
【００１９】
【図１】  ａ）  本発明の第一の実施例である釣り仕掛け構造１０１を示す図。ｂ）  本発明の第二の実施例である釣り仕掛け構造１０２を示す図。
【図２】  ａ）  ハリス挿通孔を頭部に有する釣り針の左側面図。ｂ）  ハリス挿通孔を頭部に有する釣り針の平面図。
【図３】  本発明の第三の実施例である複数本の釣り針を有する釣り仕掛け構造１０３を示す図。
【図４】  本発明の第三の実施例である釣り仕掛け構造１０３と下流側から近寄る魚の位置関係を示す図。
【図５】  従来の釣り仕掛け構造と下流側から近寄る魚の位置関係を示す図。（針先が魚の口先から遠い釣り針の体勢と近い釣り針の体勢を示したもの）
【図６】  本発明の釣り仕掛け構造１０３を胴付き仕掛け構造１０４に適用した第四の実施例を示す図。
【図７】  本発明の第五の実施例である釣り仕掛け構造１０５を示す図。
【発明を実施するための形態】
【００２０】  下記の実施例をもって、発明を実施するための形態の説明も兼ねる。
【実施例】
【００２１】  以下、添付図面に従って実施例を挙げるが、釣り針の位置・向きを分かりやすくするために、図面では餌を省略して説明する。また、本発明はハリスを係止するための係止部材に接続しても使用できる。ここで言う係止部材には道糸や幹糸、及び道糸や幹糸に係止するための両端がリングで回転自由の金具（サルカン）・天秤と呼ばれる支持具・魚の引きを緩和するクッションゴムなどの部材が含まれる。【００２２】  図１ａ）の第一の実施例である釣り仕掛け構造１０１は、釣り針６を有し、釣り針６のハリス挿通孔７にハリス３が挿通され、釣り針６をハリス３の一端４側に配置する構成である。この構成とすることで、釣り針６はハリス３を軸に回動自在となる。
更に、釣り針６とハリス３の一端４の間に第一ストッパー１を備える。
この第一ストッパー１は、ハリス３が結束された結び目とすることで容易に構成できるが、ハリス３を結び付ける具材や、ハリス３を挟み込む具材にて構成してもよい。
すなわち、第一ストッパー１は、釣り針６がハリス３の一端４から脱落することを防止する。この時、釣り針６のハリス挿通孔７に対して、図２ａ）に示す矢印２５の方向からハリス３の他端５を挿通し、針先１２を他端５側に向けている。【００２３】  図１ｂ）の第二の実施例である釣り仕掛け構造１０２は、釣り針６のハリス挿通孔７に対して、図２ａ）に示す矢印２４の方向からハリス３の他端５を挿通し、針先１２を第一ストッパー１側に向けている構成であり、その他の構成は図１ａ）の第一の実施例と同様である。
第一の実施例及び第二の実施例に示す釣り仕掛け構造１０１及び１０２は、共に、ハリス挿通孔７に挿通したハリス３を軸として釣り針６を回動自在とする構造であり、この様な構成とすることにより、水の流れによって常に魚の口先に釣り針６の針先１２を近づけることができる。
また、図２ａ）及び図２ｂ）に示す釣り針６を使用した場合に、釣り仕掛け構造１０１及び１０２のように釣り針６の針先１２の向きを２つの角度（釣り仕掛け構造１０１を０度とした場合、釣り仕掛け構造１０２は１８０度）で構成することができるが、釣り針６のハリス挿通孔７に対する針先１２の角度が９０度異なる釣り針を使用することで、水中の針先１２の方向を横（９０度）にすることも可能である。更にこの時の針先１２の向きを０度〜９０度とすることで、様々な針先１２の角度を得られることが出来る。よって、本発明は釣り針の針先の角度を変えることが出来るため、狙っている魚の口の特徴に合わせ、魚の口のどの部分に針掛かりさせるのかを選択することが出来る。【００２４】  図３の第三の実施例である釣り仕掛け構造１０３は、釣り針６及び９の２本の釣り針を有し、この２本の釣り針のハリス挿通孔７及び１０にハリス３が挿通され、釣り針９をハリス３の一端４側に、釣り針６を釣り針９よりハリス３の他端５側に配置する構成である。この構成とすることで、釣り針６及び９はハリス３を軸に回動自在となる。
更に、釣り針９とハリス３の一端４との間に第一ストッパー１を備え、更には、ハリス３上に第一ストッパー１から釣り針６及び９が離れるのを規制する第二ストッパー２を備えるので、釣り針６及び９の移動が規制されることになる。
すなわち、第一ストッパー１は、釣り針６及び９がハリス３の一端４から脱落することを防止し、第二ストッパー２は、釣り針６及び９が第一ストッパー１から大きく離れるのを規制するので、釣り針６及び９は第一ストッパー１近くに留まり、近接した状態を維持し回動できる。この第一ストッパー１及び第二ストッパー２は、ハリス３が結束された結び目とすることで容易に構成できるが、ハリス３を結び付ける具材や、ハリス３を挟み込む具材にて構成してもよい。
更には、第一ストッパー１と第二ストッパー２との間隔は、水の流れの乱れによって２本の釣り針が離れても、元の位置に収まりやすい距離として、５０ｃｍ以下の間隔をもって配置することが適しており、特に５ｃｍ以下とすることが、釣り針の回動しやすさ・２本の釣り針を針掛かりさせる・餌の係止しやすさなどから最適である。
この第三の実施例は、１本のハリスに装着する釣り針を２本にする構成であり、釣り針に掛かる魚の引きが２本に分散でき、釣り針の軸が伸びにくくなり魚が外れない。釣り針の軸が伸びにくくなるので、魚が吸い込み易い小さい釣り針が使用できる。
また、アジなどの口が切れて釣り針が外れやすい魚の場合は、アジの口に掛かる力も２個所に分散されるのでアジの口が切れずに釣ることが出来る効果もある。
それでも、２本の釣り針の軸が伸びたり、アジの口が切れる場合は、さらに釣り針を増やすことで対応できる。複数本の釣り針の一部に擬餌針を使用することで餌が不要ともなる。別の局面である、魚が撒き餌を捕食し、空腹でなくなった時など、魚の活性が下がり、餌を係止した釣り針全体を飲み込まず、口先だけで少しくわえるようになった場合でも、釣り針が２本なので魚の口先に当たる確率も上がり、魚が口先だけでくわえた結果、１本の釣り針だけが針掛かりし、魚が逃げようと泳ぐと、回動出来る近接した２本目の釣り針も針掛かりする効果もある。また、第三の実施例においても、第一の実施例及び第二の実施例に示したように、釣り針６及び９のそれぞれの針先１２の角度を任意に変えることが出来るのは当然である。【００２５】  図６の第四の実施例である胴付き仕掛け構造１０４は、幹糸２２の一端に錘２１を有し、この幹糸２２上に一定の間隔を空けて３つの釣り仕掛け構造１０３の他端５を接続部２３にてそれぞれ係止したものである。この時、胴付き仕掛け構造１０４の接続部２３は、図３に示す第二ストッパー２である。同様に、錘２１を有しない構造である吹き流し仕掛け構造（図示せず）にも同様に適用できるが説明を省略する。【００２６】  図７の第五の実施例である釣り仕掛け構造１０５は、図１ａ）に示す釣り仕掛け構造１０１の第一ストッパー１と釣り針６との間にハリス３が挿通されたリング状部材３１を備えたものである。第一ストッパー１はハリス３を結束した結び目とするのが容易であるが、第一ストッパー１に凸凹が出来てしまうことがあり、第一ストッパー１と釣り針６との摩擦や引っ掛かりの原因となる。リング状部材３１が第一ストッパー１と釣り針６との摩擦や引っ掛かりを軽減し、釣り針６がさらに回動しやすくなり、より魚の口先に近づき、釣り針６が針掛かりしやすい。
更には、流れのない水中では魚が餌の付いた釣り針６を捕食しようと口を開ければ、水も魚の口に吸い込まれるが、釣り針６が回動しやすいので、魚の口に吸い込まれる小さな水流でもより魚の口先に近づきやすく針掛かりしやすくなる。
また、釣り針の軸が太いものは釣り針のハリス挿通孔の径を小さく成形するのが難しくなるため、ハリスを結束した結び目の第一ストッパーでは脱落しやすくなるが、釣り針のハリス挿通孔の径が大きくても、その径がリング状部材の外径未満であれば、脱落することはない。（この時各々の径の大きさは、リング状部材の内径＜第一ストッパーの直径＜釣り針の挿通孔の径＜リング状部材の外径となる）
ここで述べたリング状部材は、金属の線材をリング状にした部材または金属の円板でハリス挿通孔を有した部材で、且つ外径は５ｍｍ以下が適している。樹脂やガラスなどの材料でリング状部材とする場合は、強度を持たせるために厚さを厚くする必要があり、球体に近づく。その場合は、魚に対し目立ち、魚にかじられて欠損しやすいので外径３ｍｍ以下が適切であり、すなわち、釣り針のハリス挿通孔の径は３ｍｍ未満が好適である。
【符号の説明】
【００２７】            １  第一ストッパー
２  第二ストッパー
３  ハリス
４  ハリスの一端
５  ハリスの他端
６  ハリス挿通孔を頭部に有する釣り針
７  釣り針６のハリス挿通孔
８  釣り針の軸
９  ２本目のハリス挿通孔を頭部に有する釣り針
１０  釣り針９のハリス挿通孔
１１  釣り針の頭部
１２  釣り針の針先
１３  釣り針の返し
１４  水の流れ方向
１５  下流側の魚の頭
１６  魚の口先
１７  魚の口元
２１  錘
２２  胴付き仕掛けの幹糸
２３  胴付き仕掛けの幹糸とハリスとの接続部
２４  針先が有る側からハリスを挿通する方向
２５  針先が無い側からハリスを挿通する方向
２６  針先が魚の口先から遠い釣り針の体勢
２７  針先が魚の口先から近い釣り針の体勢
３１  リング状部材
３２  リング状部材３１のハリス挿通孔
１０１〜１０５  本発明の釣り仕掛け構造の実施例
【図１】
0006960003.tif 000002
【図２】
0006960003.tif 000003
【図３】
0006960003.tif 000004
【図４】
0006960003.tif 000005
【図５】
0006960003.tif 000006
【図６】
0006960003.tif 000007
【図７】
0006960003.tif 000008